【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
入力された画像データに基づいて記録媒体上に画像を形成する画像形成装置と画像が形成された記録媒体を後処理する後処理装置とを備える画像形成システムであって、
前記画像形成装置で記録媒体上に画像を形成した後に、前記記録媒体上の画像を読み取って画像データを生成する読取手段と、
画像形成の条件に基づいて、前記記録媒体上の画像を検査する検査領域を指定する検査領域指定手段と、
前記検査領域指定手段で指定された検査領域の、前記読取手段が生成した画像データと前記入力された画像データとを比較し、前記記録媒体上の画像の良否を判別する画像判別手段と、
を有することを特徴とする画像形成システム。
【請求項２】
前記画像形成の条件は、画像形成モードを設定する画像形成モード設定手段で設定され、前記検査領域指定手段は、前記設定した画像形成モードに応じて前記検査領域を指定することを特徴とする請求項１に記載の画像形成システム。
【請求項３】
前記検査領域指定手段は、前記画像形成モードに応じて、記録媒体単位で、又は記録媒体内の領域単位で前記検査領域を指定することを特徴とする請求項２に記載の画像形成システム。
【請求項４】
前記画像形成モードは、画像形成した複数の記録媒体の間に画像形成に用いる記録媒体と異なる種類の記録媒体を挿入して、前記画像形成した複数の記録媒体を複数のグループに仕切る仕切り記録媒体挿入モードを含み、
前記検査領域指定手段は、前記画像形成モード設定手段により仕切り記録媒体挿入モードが設定された場合に、記録媒体単位で前記検査領域を指定することを特徴とする請求項３に記載の画像形成システム。
【請求項５】
前記検査領域指定手段は、前記画像形成モード設定手段によって前記仕切り記録媒体挿入モードが設定された場合に、前記挿入する記録媒体を検査領域から除外することを特徴とする請求項４に記載の画像形成システム。
【請求項６】
前記画像形成モードは、画像形成された記録媒体に対して所定の後処理を指示する後処理モードを含み、
前記画像形成モード設定手段によって前記後処理モードが設定された場合に、前記後処理装置に後処理を行わせ、
前記検査領域指定手段は、前記後処理モードが設定された場合に、前記検査領域を記録媒体内の指定領域毎に指定することを特徴とする請求項３又は４に記載の画像形成システム。
【請求項７】
前記後処理手段は、画像形成された複数の記録媒体を集積して製本し、その端部をトリミングするトリミング手段を含み、
前記検査領域指定手段は、前記画像形成モード設定手段により前記後処理モードが設定された場合に、前記トリミングされる端部を前記検査領域から除外することを特徴とする請求項６に記載の画像形成システム。
【請求項８】
前記トリミングされる端部は、出力枚数又は紙厚に応じて可変であることを特徴とする請求項７に記載の画像形成システム。
【請求項９】
前記後処理手段は、画像形成された複数の記録媒体を集積して綴じる手段を含み、
前記検査領域指定手段は、前記画像形成モード設定手段により後処理の実行が判定された場合、その設定に応じて綴じられて開かない領域を前記検査領域から除外することを特徴とする請求項６記載の画像形成システム。
【請求項１０】
入力された画像データに基づいて記録媒体上に画像を形成する画像形成装置であって、
前記記録媒体上に画像を形成した後に、前記記録媒体上の画像を読み取って画像データを生成する読取手段と、
画像形成の条件に基づいて、前記記録媒体上の画像を検査する検査領域を指定する検査領域指定手段と、
前記検査領域指定手段で指定された検査領域の、前記読取手段が生成した画像データと前記入力された画像データとを比較し、前記記録媒体上の画像の良否を判別する画像判別手段と、
を有することを特徴とする画像形成装置。
【請求項１１】
前記画像形成の条件は、画像形成モードを設定する画像形成モード設定手段で設定され、前記検査領域指定手段は、前記設定した画像形成モードに応じて前記検査領域を指定することを特徴とする請求項１０に記載の画像形成装置。
【請求項１２】
入力された画像データに基づいて記録媒体上に画像を形成する画像形成装置の制御方法であって、
前記記録媒体上に画像を形成した後に、前記記録媒体上の画像を読み取って画像データを生成する読取工程と、
設定された画像形成モードに応じて、前記記録媒体上の画像を検査する検査領域を指定する検査領域指定工程と、
前記検査領域指定工程で指定された検査領域の、前記読取工程で生成した画像データと前記入力された画像データとを比較し、前記記録媒体上の画像の良否を判別する画像判別工程と、
を有することを特徴とする画像形成装置の制御方法。
【請求項１３】
画像形成装置で記録媒体上に形成された画像の状態を検査する画像検査装置であって、
前記画像形成装置で形成される画像の画像データを入力する画像データ入力手段と、
前記画像形成装置で記録媒体上に画像が形成された後に、前記記録媒体上の画像を読み取って画像データを生成する読取手段と、
画像形成の条件に基づいて、前記記録媒体上の画像を検査する検査領域を指定する検査領域指定手段と、
前記検査領域指定手段で指定された検査領域の、前記読取手段が生成した画像データと前記入力された画像データとを比較し、前記記録媒体上の画像の良否を判別する画像判別手段と、
を有することを特徴とする画像検査装置。
【請求項１４】
前記画像形成の条件は、画像形成モードを設定する画像形成モード設定手段で設定され、前記検査領域指定手段は、前記設定した画像形成モードに応じて前記検査領域を指定することを特徴とする請求項１３に記載の画像検査装置。
【請求項１５】
画像形成装置で記録媒体上に形成された画像の状態を検査する画像検査装置の制御方法であって、
前記画像形成装置で形成される画像の画像データを入力する画像データ入力工程と、
前記画像形成装置で記録媒体上に画像が形成された後に、前記記憶媒体上の画像を読み取って画像データを生成する読取工程と、
設定された画像形成モードに応じて、前記記録媒体上の画像を検査する検査領域を指定する検査領域指定工程と、
前記検査領域指定工程で指定された検査領域の、前記読取工程で生成した画像データと前記入力された画像データとを比較し、前記記録媒体上の画像の良否を判別する画像判別工程と、
を有することを特徴とする画像検査装置の制御方法。
【手続補正２】
【補正対象書類名】明細書
【補正対象項目名】０００７
【補正方法】変更
【補正の内容】
【０００７】
上記目的を達成するための本発明の画像形成システムは、以下の構成を有する。すなわち、入力された画像データに基づいて記録媒体上に画像を形成する画像形成装置と画像が形成された記録媒体を後処理する後処理装置とを備える画像形成システムであって、前記画像形成装置で記録媒体上に画像を形成した後に、前記記録媒体上の画像を読み取って画像データを生成する読取手段と、画像形成の条件に基づいて、前記記録媒体上の画像を検査する検査領域を指定する検査領域指定手段と、前記検査領域指定手段で指定された検査領域の、前記読取手段が生成した画像データと前記入力された画像データとを比較し、前記記録媒体上の画像の良否を判別する画像判別手段と、を有することを特徴とする。ここで、画像形成の条件は、画像形成モードを設定する画像形成モード設定手段で設定され、前記検査領域指定手段は、前記設定した画像形成モードに応じて前記検査領域を指定する。
【手続補正３】
【補正対象書類名】明細書
【補正対象項目名】０００８
【補正方法】変更
【補正の内容】
【０００８】
又、本発明の画像形成装置は、以下の構成を有する。すなわち、入力された画像データに基づいて記録媒体上に画像を形成する画像形成装置であって、前記記録媒体上に画像を形成した後に、前記記録媒体上の画像を読み取って画像データを生成する読取手段と、画像形成の条件に基づいて、前記記録媒体上の画像を検査する検査領域を指定する検査領域指定手段と、前記検査領域指定手段で指定された検査領域の、前記読取手段が生成した画像データと前記入力された画像データとを比較し、前記記録媒体上の画像の良否を判別する画像判別手段と、を有することを特徴とする。ここで、画像形成の条件は、画像形成モードを設定する画像形成モード設定手段で設定され、前記検査領域指定手段は、前記設定した画像形成モードに応じて前記検査領域を指定する。
【手続補正４】
【補正対象書類名】明細書
【補正対象項目名】０００９
【補正方法】変更
【補正の内容】
【０００９】
又、本発明の画像形成装置の制御方法は、以下の構成を有する。すなわち、入力された画像データに基づいて記録媒体上に画像を形成する画像形成装置の制御方法であって、前記記録媒体上に画像を形成した後に、前記記録媒体上の画像を読み取って画像データを生成する読取工程と、設定された画像形成モードに応じて、前記記録媒体上の画像を検査する検査領域を指定する検査領域指定工程と、前記検査領域指定工程で指定された検査領域の、前記読取工程で生成した画像データと前記入力された画像データとを比較し、前記記録媒体上の画像の良否を判別する画像判別工程と、を有することを特徴とする。
【手続補正５】
【補正対象書類名】明細書
【補正対象項目名】００１０
【補正方法】変更
【補正の内容】
【００１０】
又、本発明の画像検査装置は、以下の構成を有する。すなわち、画像形成装置で記録媒体上に形成された画像の状態を検査する画像検査装置であって、前記画像形成装置で形成される画像の画像データを入力する画像データ入力手段と、前記画像形成装置で記録媒体上に画像が形成された後に、前記記録媒体上の画像を読み取って画像データを生成する読取手段と、画像形成の条件に基づいて、前記記録媒体上の画像を検査する検査領域を指定する検査領域指定手段と、前記検査領域指定手段で指定された検査領域の、前記読取手段が生成した画像データと前記入力された画像データとを比較し、前記記録媒体上の画像の良否を判別する画像判別手段と、を有することを特徴とする。ここで、画像形成の条件は、画像形成モードを設定する画像形成モード設定手段で設定され、前記検査領域指定手段は、前記設定した画像形成モードに応じて前記検査領域を指定する。
【手続補正６】
【補正対象書類名】明細書
【補正対象項目名】００１１
【補正方法】変更
【補正の内容】
【００１１】
又、本発明の画像検査装置の制御方法は、以下の構成を有する。すなわち、画像形成装置で記録媒体上に形成された画像の状態を検査する画像検査装置の制御方法であって、前記画像形成装置で形成される画像の画像データを入力する画像データ入力工程と、前記画像形成装置で記録媒体上に画像が形成された後に、前記記憶媒体上の画像を読み取って画像データを生成する読取工程と、設定された画像形成モードに応じて、前記記録媒体上の画像を検査する検査領域を指定する検査領域指定工程と、前記検査領域指定工程で指定された検査領域の、前記読取工程で生成した画像データと前記入力された画像データとを比較し、前記記録媒体上の画像の良否を判別する画像判別工程と、を有することを特徴とする。